(57)【要約】  本発明は、地理的位置情報に基づくインタラクティブ方法、クラウドサーバ、放映装置及びシステムを提供するもので、前記インタラクティブ方法には、クラウドサーバが、その中の地理的位置座標データベース中の各地理的位置座標に対応する複数のインタラクティブテキストを生成し、プリセットされたルールに従って第１の関連及び第２の関連を確立することと、クラウドサーバが、放映装置から送信して来たインタラクティブテキスト要求情報を受信し、前記インタラクティブテキスト要求情報中の地理的位置座標情報に基づいて、放映装置の地理的位置座標と第１の関連を確立するすべてのインタラクティブテキストを地理的位置座標データベースから選び取って、その中から、他の放映装置ＩＤと関連を確立していないプリセット数のインタラクティブテキストを選び取り、選び出したプリセット数のインタラクティブテキストと放映装置ＩＤとで第３の関連を確立し、放映装置に送信することと、放映装置が、プリセット数のインタラクティブテキストを受信してインタラクティブテキストメモリに記憶させることと、放映装置が、動画映像データと、前記動画データの放映時間軸における時点で編集された複数のインタラクティブコンテンツと、が含まれる動画データを取得することと、放映装置が前記動画データを放映する過程において、動画データを前記インタラクティブコンテンツの編集された時点に放映する場合、この時点のインタラクティブコンテンツを照会して、照会されたインタラクティブコンテンツと同じ数のインタラクティブテキストをインタラクティブテキストメモリから選び出して、照会されたインタラクティブコンテンツと第４の関連を確立することと、表示位置座標情報に基づいて、照会されたインタラクティブコンテンツと第４の関連を確立するインタラクティブテキストを放映装置のスクリーン中の相応の位置に表示することと、インタラクティブテキストの表示される時間長がこれと第４の関連を確立するインタラクティブコンテンツにおける表示時間長に達する場合、表示することを終了することと、インタラクティブテキストの関連時間長がこれと第４の関連を確立するインタラクティブコンテンツにおける第１の関連保持時間長に達する場合、関連を解消することと、クラウドサーバが、端末から送信して来た、インタラクティブテキスト入力情報と端末の地理的位置座標及び通信アドレスとを含むインタラクティブテキスト入力コマンドを受信して、クラウドサーバが、端末の地理的位置座標と第２の関連を有するインタラクティブテキストにおいて、インタラクティブテキスト入力情報中のインタラクティブテキストと同一のインタラクティブテキストの存否を照会することと、存在していれば、この同一のインタラクティブテキストと第３の関連を確立する放映装置ＩＤに基づいて端末の通信アドレスとインタラクティブテキスト入力情報とを相応の放映装置に送信することと、放映装置が、前記端末の通信アドレスに従って、インタラクティブテキスト入力情報中のインタラクティブテキストと関連を確立するインタラクティブコンテンツにおけるインタラクティブ情報を前記端末に送信することと、端末が、前記インタラクティブ情報を受信し、インタラクティブ情報のタイプに基づいてそれに応じた操作をして表示することとが含まれる。
2018516517.tif 000002
【特許請求の範囲】
【請求項１】
地理的位置情報に基づくインタラクティブ方法であって、
クラウドサーバが、その中の地理的位置座標データベース中の各地理的位置座標を中心点として、プリセットされた有効なインタラクティブ地理的領域内に各々の地理的位置座標に対応する複数のインタラクティブテキストを生成し、前記インタラクティブテキストと対応する地理的位置座標とで第１の関連を確立して、各前記インタラクティブテキストと前記有効なインタラクティブ地理的領域内のすべての地理的位置座標とでそれぞれ第２の関連を確立することと、
前記クラウドサーバが、放映装置から送信して来た、前記放映装置の地理的位置座標とインタラクティブテキストのプリセット数と放映装置ＩＤとが含まれるインタラクティブテキスト要求情報を受信することと、
前記クラウドサーバが、前記インタラクティブテキスト要求情報中の地理的位置座標情報に基づいて、前記放映装置の地理的位置座標と第１の関連を確立するすべてのインタラクティブテキストを前記地理的位置座標データベースから選び取って、このすべてのインタラクティブテキストから、他の放映装置ＩＤと関連を確立していないプリセット数のインタラクティブテキストを選び取り、選び出したプリセット数のインタラクティブテキストと前記放映装置ＩＤとで第３の関連を確立し、選び出したプリセット数のインタラクティブテキストを前記放映装置に送信することと、
前記放映装置が、前記プリセット数のインタラクティブテキストを受信してインタラクティブテキストメモリに記憶させることと、
前記放映装置が、動画映像データと、インタラクティブ情報とインタラクティブテキストの表示時間長とインタラクティブテキストの第１の関連保持時間長と表示位置座標情報とを含み、前記動画データの放映時間軸における時点で編集された複数のインタラクティブコンテンツと、が含まれる動画データを取得することと、
前記放映装置が前記動画データを放映する過程において、前記動画データを前記インタラクティブコンテンツの編集された時点に放映する場合、この時点のインタラクティブコンテンツを照会して、照会されたインタラクティブコンテンツと同じ数のインタラクティブテキストを前記インタラクティブテキストメモリから選び出して、照会されたインタラクティブコンテンツと第４の関連を確立し、前記表示位置座標情報に基づいて、照会されたインタラクティブコンテンツと第４の関連を確立するインタラクティブテキストを前記放映装置のスクリーン中の相応の位置に表示し、前記インタラクティブテキストの表示される時間長がこれと第４の関連を確立するインタラクティブコンテンツにおける表示時間長に達する場合、このインタラクティブコンテンツをスクリーン中に表示することを終了し、前記インタラクティブテキストの関連時間長がこれと第４の関連を確立するインタラクティブコンテンツにおける第１の関連保持時間長に達する場合、前記インタラクティブテキストと前記インタラクティブコンテンツとの関連を解消することと、
前記クラウドサーバが、端末から送信して来た、インタラクティブテキスト入力情報と前記端末の地理的位置座標及び通信アドレスとを含むインタラクティブテキスト入力コマンドを受信して、前記クラウドサーバが、前記端末の地理的位置座標と第２の関連を有するインタラクティブテキストにおいて、前記インタラクティブテキスト入力情報中のインタラクティブテキストと同一のインタラクティブテキストの存否を照会し、存在していれば、この同一のインタラクティブテキストと第３の関連を確立する放映装置ＩＤに基づいて前記端末の通信アドレスとインタラクティブテキスト入力情報とを相応の放映装置に送信することと、
前記放映装置が、前記端末の通信アドレスに従って、前記インタラクティブテキスト入力情報中のインタラクティブテキストと関連を確立するインタラクティブコンテンツにおけるインタラクティブ情報を前記端末に送信することと、
前記端末が、前記インタラクティブ情報を受信し、前記インタラクティブ情報のタイプに基づいてそれに応じた操作をして表示することと
を含むことを特徴とするインタラクティブ方法。
【請求項２】
前記放映装置が、その時点のスクリーン中に表示されているインタラクティブテキストの有効なインタラクティブ地理的領域を前記インタラクティブテキストのスクリーン中の表示位置の近傍に表示することがさらに含まれることを特徴とする、請求項１に記載のインタラクティブ方法。
【請求項３】
プリセットされた有効なインタラクティブ地理的領域内に生成される、各地理的位置座標に対応する複数のインタラクティブテキストが唯一性を有し、前記有効なインタラクティブ地理的領域内のすべての地理的位置座標と第２の関連を確立するインタラクティブテキストとは異なっていることを特徴とする、請求項１に記載のインタラクティブ方法。
【請求項４】
前記クラウドサーバが、前記地理的位置座標データベース中の各地理的位置座標と第１の関連を確立するインタラクティブテキストに有効表示範囲を設定し、各々のインタラクティブテキストの有効表示範囲をこのインタラクティブテキストの対応する有効なインタラクティブ地理的領域内に位置させて、前記放映装置の地理的位置座標が、その時点で表示されているインタラクティブテキストの有効表示範囲から移動して出る場合、前記放映装置が、その時点で表示されているインタラクティブテキストを表示することを終了することがさらに含まれることを特徴とする、請求項１に記載のインタラクティブ方法。
【請求項５】
前記クラウドサーバが、前記地理的位置座標データベース中の各地理的位置座標と第１の関連を確立するインタラクティブテキストに第２の関連保持時間長を設定し、前記放映装置の地理的位置座標が、その時点で表示されているインタラクティブテキストの有効表示範囲から移動して出る場合、前記第２の関連保持時間長内であれば、その時点で表示されているインタラクティブテキストと前記放映装置ＩＤとで第３の関連を保持することがさらに含まれることを特徴とする、請求項４に記載のインタラクティブ方法。
【請求項６】
前記クラウドサーバが、前記放映装置の地理的位置座標の変化をリアルタイムでモニタリングして、前記放映装置の地理的位置座標が前記インタラクティブテキストメモリ中のインタラクティブテキストの有効表示範囲から移動して出る場合、前記インタラクティブテキストメモリ中の各インタラクティブテキストの関連状態を識別することと、
前記インタラクティブテキストメモリ中のインタラクティブテキストとその時点で放映されている動画データ中のインタラクティブコンテンツとが関連しているとともにスクリーン中に表示中である場合、前記第２の関連保持時間長内で、その時点で表示されているインタラクティブテキストと前記放映装置ＩＤとの間の第３の関連を保持しながら、前記放映装置に関連保持コマンドと第１のインタラクティブテキスト更新情報とを送信し、前記放映装置が、前記関連保持コマンドと第１のインタラクティブテキスト更新情報とを受信して、前記第１のインタラクティブテキスト更新情報とその時点で放映されている動画データ中のインタラクティブコンテンツとで関連を確立してスクリーンに表示し、前記関連保持コマンドに基づいて、前記インタラクティブコンテンツと１つ前のインタラクティブコンテンツとで確立されている関連を保持して、１つ前のインタラクティブコンテンツをスクリーン中で表示することを取り止めるが、ただし、前記第１のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものであることと、
前記インタラクティブテキストメモリ中のインタラクティブテキストが既に表示されることを終了しているが、なおその時点で放映されている動画データ中のインタラクティブコンテンツと関連を保持していれば、前記第２の関連保持時間長内で前記インタラクティブテキストメモリ中のインタラクティブテキストと前記放映装置ＩＤとの間の第３の関連を保持することと、
前記インタラクティブテキストメモリ中のインタラクティブテキストとその時点で放映されている動画データ中のインタラクティブコンテンツとが関連していなければ、前記インタラクティブテキストメモリ中のインタラクティブテキストと前記放映装置ＩＤとの間の第３の関連を解消しながら、前記放映装置にテキスト交換コマンドと第２のインタラクティブテキスト更新情報とを送信し、前記放映装置が、前記テキスト交換コマンドに基づいて、前記第２のインタラクティブテキスト更新情報をもって、前記インタラクティブテキストメモリに記憶されているインタラクティブテキストに代えるが、ただし、前記第２のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものであることと
がさらに含まれることを特徴とする、請求項５に記載のインタラクティブ方法。
【請求項７】
前記地理的位置座標に、経緯度座標情報と海抜高度情報とが含まれることを特徴とする、請求項１に記載のインタラクティブ方法。
【請求項８】
前記インタラクティブテキストに、数字、アルファベット、文字のうち少なくとも１種類が含まれることを特徴とする、請求項１に記載のインタラクティブ方法。
【請求項９】
クラウドサーバであって、
対象領域内のすべての地理的位置座標情報を記憶し、対象領域内のすべての放映装置の位置する地理的位置座標を含めるための地理的位置座標データベースと、
地理的位置座標データベース中の各地理的位置座標を中心点として、プリセットされた有効なインタラクティブ地理的領域内に各々の地理的位置座標に対応する複数のインタラクティブテキストを生成し、前記インタラクティブテキストと対応する地理的位置座標とで第１の関連を確立して、各前記インタラクティブテキストと前記有効なインタラクティブ地理的領域内のすべての地理的位置座標とでそれぞれ第２の関連を確立するためのインタラクティブテキスト生成・関連手段と、
放映装置から送信して来た、前記放映装置の地理的位置座標とインタラクティブテキストのプリセット数と放映装置ＩＤとが含まれるインタラクティブテキスト要求情報を受信するためのインタラクティブテキスト要求受信手段と、
前記インタラクティブテキスト要求情報中の地理的位置座標情報に基づいて、前記放映装置の地理的位置座標と第１の関連を確立するすべてのインタラクティブテキストを前記地理的位置座標データベースから選び取って、このすべてのインタラクティブテキストから、他の放映装置ＩＤと関連を確立していないプリセット数のインタラクティブテキストを選び取り、選び出したプリセット数のインタラクティブテキストと前記放映装置ＩＤとで第３の関連を確立するためのインタラクティブテキスト選別手段と、
選び出したプリセット数のインタラクティブテキストを前記放映装置に送信するためのインタラクティブテキスト送信手段と、
端末から送信して来た、インタラクティブテキスト入力情報と前記端末の地理的位置座標及び通信アドレスとを含むインタラクティブテキスト入力コマンドを受信するための端末通信手段と、
前記端末の地理的位置座標と第２の関連を有するインタラクティブテキストにおいて、前記インタラクティブテキスト入力情報中のインタラクティブテキストと同一のインタラクティブテキストの存否を照会するための照会手段と、
前記インタラクティブテキスト入力情報中のインタラクティブテキストと同一のインタラクティブテキストが存在している場合、この同一のインタラクティブテキストと第３の関連を確立する放映装置ＩＤに基づいて前記端末の通信アドレスとインタラクティブテキスト入力情報とを相応の放映装置に送信するための情報送信手段と
を含むことを特徴とするクラウドサーバ。
【請求項１０】
前記クラウドサーバには、前記インタラクティブテキスト生成・関連手段が前記地理的位置座標データベース中の各々の地理的位置座標に、対応する複数のインタラクティブテキストを生成する際にインタラクティブテキストを提供するためのインタラクティブテキストソースデータベースがさらに含まれることを特徴とする、請求項９に記載のクラウドサーバ。
【請求項１１】
前記クラウドサーバには、前記地理的位置座標データベース中の各地理的位置座標と第１の関連を確立するインタラクティブテキストに有効表示範囲を設定し、各々のインタラクティブテキストの有効表示範囲をこのインタラクティブテキストの対応する有効なインタラクティブ地理的領域内に位置させて、前記放映装置の地理的位置座標が、その時点で表示されているインタラクティブテキストの有効表示範囲から移動して出る場合、前記放映装置が、その時点で表示されているインタラクティブテキストを表示することを終了するための有効表示範囲設定手段が含まれることを特徴とする、請求項９に記載のクラウドサーバ。
【請求項１２】
前記クラウドサーバには、前記地理的位置座標データベース中の各地理的位置座標と第１の関連を確立するインタラクティブテキストに第２の関連保持時間長を設定し、前記放映装置の地理的位置座標が、その時点で表示されているインタラクティブテキストの有効表示範囲から移動して出る場合、前記第２の関連保持時間長内であれば、その時点で表示されているインタラクティブテキストと前記放映装置ＩＤとで第３の関連を保持するための第２の保持時間長設定手段がさらに含まれることを特徴とする、請求項１１に記載のクラウドサーバ。
【請求項１３】
前記クラウドサーバには、
放映装置の地理的位置座標の変化をリアルタイムでモニタリングするための地理的位置モニタリング手段と、
前記放映装置の地理的位置座標が前記インタラクティブテキストメモリ中のインタラクティブテキストの有効表示範囲から移動して出る場合、前記インタラクティブテキストメモリ中の各インタラクティブテキストの関連状態を識別するためのインタラクティブテキスト関連状態識別手段と
がさらに含まれることを特徴とする、請求項１２に記載のクラウドサーバ。
【請求項１４】
前記クラウドサーバには、
前記インタラクティブテキストメモリ中のインタラクティブテキストとその時点で放映されている動画データ中のインタラクティブコンテンツとが関連しているとともにスクリーン中に表示中である場合、前記第２の関連保持時間長内で、その時点で表示されているインタラクティブテキストと前記放映装置ＩＤとの間の第３の関連を保持しながら、前記放映装置に関連保持コマンドと第１のインタラクティブテキスト更新情報とを送信するための、ただし、前記第１のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものである第１のテキスト更新手段と、
前記インタラクティブテキストメモリ中のインタラクティブテキストが既に表示されることを終了しているが、なおその時点で放映されている動画データ中のインタラクティブコンテンツと関連を保持している場合、前記第２の関連保持時間長内で前記インタラクティブテキストメモリ中のインタラクティブテキストと前記放映装置ＩＤとの間の第３の関連を保持するための第２のテキスト更新手段と、
前記インタラクティブテキストメモリ中のインタラクティブテキストとその時点で放映されている動画データ中のインタラクティブコンテンツとが関連していない場合、前記インタラクティブテキストメモリ中のインタラクティブテキストと前記放映装置ＩＤとの間の第３の関連を解消しながら、前記放映装置にテキスト交換コマンドと第２のインタラクティブテキスト更新情報とを送信するための、ただし、前記第２のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものである第３のテキスト更新手段と
がさらに含まれることを特徴とする、請求項１３に記載のクラウドサーバ。
【請求項１５】
放映装置であって、
前記放映装置の地理的位置座標とインタラクティブテキストのプリセット数と放映装置ＩＤとが含まれるインタラクティブテキスト要求情報をクラウドサーバに送信するためのインタラクティブテキスト要求送信手段と、
前記クラウドサーバから送信して来たプリセット数のインタラクティブテキストを受信して記憶するためのインタラクティブテキストメモリと、
動画映像データと、インタラクティブ情報とインタラクティブテキストの表示時間長とインタラクティブテキストの第１の関連保持時間長と表示位置座標情報とを含み、前記動画データの放映時間軸における時点で編集された複数のインタラクティブコンテンツと、が含まれる動画データを取得するための動画データ取得手段と、
前記動画データを前記インタラクティブコンテンツの編集された時点に放映する場合、この時点のインタラクティブコンテンツを照会して、照会されたインタラクティブコンテンツと同じ数のインタラクティブテキストを前記インタラクティブテキストメモリから選び出して、照会されたインタラクティブコンテンツと第４の関連を確立し、前記インタラクティブテキストの関連時間長がこれと第４の関連を確立するインタラクティブコンテンツにおける第１の関連保持時間長に達する場合、前記インタラクティブテキストと前記インタラクティブコンテンツとの関連を解消するための関連手段と、
前記動画データを放映し、前記放映装置が前記動画データを放映する過程において、前記表示位置座標情報に基づいて、照会されたインタラクティブコンテンツと第４の関連を確立するインタラクティブテキストを前記放映装置のスクリーン中の相応の位置に表示し、前記インタラクティブテキストの表示される時間長がこれと第４の関連を確立するインタラクティブコンテンツにおける表示時間長に達する場合、このインタラクティブコンテンツをスクリーン中に表示することを終了するための動画放映手段と、
前記クラウドサーバから送信して来た、端末の通信アドレスとインタラクティブテキスト入力情報とを受信し、前記端末の通信アドレスに従って、前記インタラクティブテキスト入力情報中のインタラクティブテキストと関連を確立するインタラクティブコンテンツにおけるインタラクティブ情報を前記端末に送信するための情報送受信手段と
を含むことを特徴とする放映装置。
【請求項１６】
前記動画放映手段には、その時点のスクリーン中に表示されているインタラクティブテキストの有効なインタラクティブ地理的領域を前記インタラクティブテキストのスクリーン中の表示位置の近傍に表示するための表示サブモジュールが含まれることを特徴とする、請求項１５に記載の放映装置。
【請求項１７】
プリセットされた有効なインタラクティブ地理的領域内に生成される、各地理的位置座標に対応する複数のインタラクティブテキストが唯一性を有し、前記有効なインタラクティブ地理的領域内のすべての地理的位置座標と既に第２の関連を確立しているインタラクティブテキストとは異なっていることを特徴とする、請求項１５に記載の放映装置。
【請求項１８】
前記動画放映手段には、
クラウドサーバから送信して来た関連保持コマンドと第１のインタラクティブテキスト更新情報とを受信して、前記第１のインタラクティブテキスト更新情報とその時点で放映されている動画データ中のインタラクティブコンテンツとで関連を確立してスクリーンに表示し、前記関連保持コマンドに基づいて、前記インタラクティブコンテンツと１つ前のインタラクティブコンテンツとで確立されている関連を保持して、１つ前のインタラクティブコンテンツをスクリーン中で表示することを取り止めるための、ただし、前記第１のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものである第１のコマンド受信モジュールと、
テキスト交換コマンドと第２のインタラクティブテキスト更新情報とを受信し、前記放映装置で、前記テキスト交換コマンドに基づいて、前記第２のインタラクティブテキスト更新情報をもって、前記インタラクティブテキストメモリに記憶されているインタラクティブテキストに代えるための、ただし、前記第２のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものである第２のコマンド受信モジュールと
がさらに含まれることを特徴とする、請求項１６に記載の放映装置。
【請求項１９】
前記放映装置には、テレビ、パソコン、屋外ディスプレイスクリーンが含まれることを特徴とする、請求項１５に記載の放映装置。
【請求項２０】
地理的位置情報に基づくインタラクティブシステムであって、請求項９に記載のクラウドサーバと、少なくとも１つの請求項１５に記載の放映装置と、インタラクティブテキスト入力情報と前記端末の地理的位置座標及び通信アドレスとを含むインタラクティブテキスト入力コマンドを前記クラウドサーバに送信することに用いられ、前記放映装置から送信して来たインタラクティブ情報を受信し、前記インタラクティブ情報のタイプに基づいてそれに応じた操作をして表示することにさらに用いられる複数の端末とを含むことを特徴とするインタラクティブシステム。
【発明の詳細な説明】
【技術分野】
【０００１】
本発明は、スクリーン情報インタラクティブ技術に関し、特に、地理的位置情報に基づくインタラクティブ方法、クラウドサーバ、放映装置及びシステムに関するものである。
【背景技術】
【０００２】
現実において、ユーザは、テレビで放映されているあるインタラクティブ情報を得ようとするとき、携帯電話やタブレットパソコンなどの端末で、テレビに表示されている２次元コードをスキャンしなければ、インタラクティブ情報を取得してインタラクティブに参加することができないことがままあったが、多くの場合、ユーザには、２次元コードをスキャンすることでインタラクティブ情報を取得することが特段便利ではない。テレビが高い位置に置かれていれば、ユーザには、テレビに近寄って２次元コードをスキャンすることもできず、ユーザがインタラクティブ情報を取得できなくなっていた上、また、２次元コードが含まれる画面の放映時間は通常非常に短く、ユーザが２次元コードをスキャンしに行く時間もないことが多くなっている。
【０００３】
他方、現在では、ユーザが放映装置に放映されるコンテンツを見て、放映されたコンテンツに関連するさらに踏み込んだ情報を取得しようとするなら、放映されたコンテンツを必ず記録して、放映されたコンテンツに基づいて探さなければならず、リアルタイムかつ直接にこれらの情報を取得することができなかった。
【発明の概要】
【発明が解決しようとする課題】
【０００４】
上記の技術的課題を解決するため、本発明では、地理的位置情報に基づくインタラクティブ方法、クラウドサーバ、放映装置及びシステムを提供することで、ユーザが迅速かつ便利に放映装置上のインタラクティブ情報を取得できるようにする。
【課題を解決するための手段】
【０００５】
本発明は、一方で、地理的位置情報に基づくインタラクティブ方法であって、
クラウドサーバが、その中の地理的位置座標データベース中の各地理的位置座標を中心点として、プリセットされた有効なインタラクティブ地理的領域内に各々の地理的位置座標に対応する複数のインタラクティブテキストを生成し、前記インタラクティブテキストと対応する地理的位置座標とで第１の関連を確立して、各前記インタラクティブテキストと前記有効なインタラクティブ地理的領域内のすべての地理的位置座標とでそれぞれ第２の関連を確立することと、
前記クラウドサーバが、放映装置から送信して来た、前記放映装置の地理的位置座標とインタラクティブテキストのプリセット数と放映装置ＩＤとが含まれるインタラクティブテキスト要求情報を受信することと、
前記クラウドサーバが、前記インタラクティブテキスト要求情報中の地理的位置座標情報に基づいて、前記放映装置の地理的位置座標と第１の関連を確立するすべてのインタラクティブテキストを前記地理的位置座標データベースから選び取って、このすべてのインタラクティブテキストから、他の放映装置ＩＤと関連を確立していないプリセット数のインタラクティブテキストを選び取り、選び出したプリセット数のインタラクティブテキストと前記放映装置ＩＤとで第３の関連を確立し、選び出したプリセット数のインタラクティブテキストを前記放映装置に送信することと、
前記放映装置が、前記プリセット数のインタラクティブテキストを受信してインタラクティブテキストメモリに記憶させることと、
前記放映装置が、動画映像データと、インタラクティブ情報とインタラクティブテキストの表示時間長とインタラクティブテキストの第１の関連保持時間長と表示位置座標情報とを含み、前記動画データの放映時間軸における時点で編集された複数のインタラクティブコンテンツと、が含まれる動画データを取得することと、
前記放映装置が前記動画データを放映する過程において、前記動画データを前記インタラクティブコンテンツの編集された時点に放映する場合、この時点のインタラクティブコンテンツを照会して、照会されたインタラクティブコンテンツと同じ数のインタラクティブテキストを前記インタラクティブテキストメモリから選び出して、照会されたインタラクティブコンテンツと第４の関連を確立し、前記表示位置座標情報に基づいて、照会されたインタラクティブコンテンツと第４の関連を確立するインタラクティブテキストを前記放映装置のスクリーン中の相応の位置に表示し、前記インタラクティブテキストの表示される時間長がこれと第４の関連を確立するインタラクティブコンテンツにおける表示時間長に達する場合、このインタラクティブコンテンツをスクリーン中に表示することを終了し、前記インタラクティブテキストの関連時間長がこれと第４の関連を確立するインタラクティブコンテンツにおける第１の関連保持時間長に達する場合、前記インタラクティブテキストと前記インタラクティブコンテンツとの関連を解消することと、
前記クラウドサーバが、端末から送信して来た、インタラクティブテキスト入力情報と前記端末の地理的位置座標及び通信アドレスとを含むインタラクティブテキスト入力コマンドを受信して、前記クラウドサーバが、前記端末の地理的位置座標と第２の関連を有するインタラクティブテキストにおいて、前記インタラクティブテキスト入力情報中のインタラクティブテキストと同一のインタラクティブテキストの存否を照会し、存在していれば、この同一のインタラクティブテキストと第３の関連を確立する放映装置ＩＤに基づいて前記端末の通信アドレスとインタラクティブテキスト入力情報とを相応の放映装置に送信することと、
前記放映装置が、前記端末の通信アドレスに従って、前記インタラクティブテキスト入力情報中のインタラクティブテキストと関連を確立するインタラクティブコンテンツにおけるインタラクティブ情報を前記端末に送信することと、
前記端末が、前記インタラクティブ情報を受信し、前記インタラクティブ情報のタイプに基づいてそれに応じた操作をして表示することと
を含むインタラクティブ方法を提供するものである。
【０００６】
一実施例において、前記インタラクティブ方法には、さらに、前記放映装置が、その時点のスクリーン中に表示されているインタラクティブテキストの有効なインタラクティブ地理的領域を前記インタラクティブテキストのスクリーン中の表示位置の近傍に表示することが含まれる。
【０００７】
一実施例において、プリセットされた有効なインタラクティブ地理的領域内に生成される、各地理的位置座標に対応する複数のインタラクティブテキストは唯一性を有し、前記有効なインタラクティブ地理的領域内のすべての地理的位置座標と第２の関連を確立するインタラクティブテキストとは異なっている。
【０００８】
一実施例において、前記インタラクティブ方法には、さらに、前記クラウドサーバが、前記地理的位置座標データベース中の各地理的位置座標と第１の関連を確立するインタラクティブテキストに有効表示範囲を設定し、各々のインタラクティブテキストの有効表示範囲をこのインタラクティブテキストの対応する有効なインタラクティブ地理的領域内に位置させて、前記放映装置の地理的位置座標が、その時点で表示されているインタラクティブテキストの有効表示範囲から移動して出る場合、前記放映装置が、その時点で表示されているインタラクティブテキストを表示することを終了することが含まれる。
【０００９】
一実施例において、前記インタラクティブ方法には、さらに、前記クラウドサーバが、前記地理的位置座標データベース中の各地理的位置座標と第１の関連を確立するインタラクティブテキストに第２の関連保持時間長を設定し、前記放映装置の地理的位置座標が、その時点で表示されているインタラクティブテキストの有効表示範囲から移動して出る場合、前記第２の関連保持時間長内であれば、その時点で表示されているインタラクティブテキストと前記放映装置ＩＤとで第３の関連を保持することが含まれる。
【００１０】
一実施例において、前記インタラクティブ方法には、さらに、前記クラウドサーバが、前記放映装置の地理的位置座標の変化をリアルタイムでモニタリングして、前記放映装置の地理的位置座標が前記インタラクティブテキストメモリ中のインタラクティブテキストの有効表示範囲から移動して出る場合、前記インタラクティブテキストメモリ中の各インタラクティブテキストの関連状態を識別することと、
前記インタラクティブテキストメモリ中のインタラクティブテキストとその時点で放映されている動画データ中のインタラクティブコンテンツとが関連しているとともにスクリーン中に表示中である場合、前記第２の関連保持時間長内で、その時点で表示されているインタラクティブテキストと前記放映装置ＩＤとの間の第３の関連を保持しながら、前記放映装置に関連保持コマンドと第１のインタラクティブテキスト更新情報とを送信し、前記放映装置が、前記関連保持コマンドと第１のインタラクティブテキスト更新情報とを受信して、前記第１のインタラクティブテキスト更新情報とその時点で放映されている動画データ中のインタラクティブコンテンツとで関連を確立してスクリーンに表示し、前記関連保持コマンドに基づいて、前記インタラクティブコンテンツと１つ前のインタラクティブコンテンツとで確立されている関連を保持して、１つ前のインタラクティブコンテンツをスクリーン中で表示することを取り止めるが、ただし、前記第１のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものであることと、
前記インタラクティブテキストメモリ中のインタラクティブテキストが既に表示されることを終了しているが、なおその時点で放映されている動画データ中のインタラクティブコンテンツと関連を保持していれば、前記第２の関連保持時間長内で前記インタラクティブテキストメモリ中のインタラクティブテキストと前記放映装置ＩＤとの間の第３の関連を保持することと、
前記インタラクティブテキストメモリ中のインタラクティブテキストとその時点で放映されている動画データ中のインタラクティブコンテンツとが関連していなければ、前記インタラクティブテキストメモリ中のインタラクティブテキストと前記放映装置ＩＤとの間の第３の関連を解消しながら、前記放映装置にテキスト交換コマンドと第２のインタラクティブテキスト更新情報とを送信し、前記放映装置が、前記テキスト交換コマンドに基づいて、前記第２のインタラクティブテキスト更新情報をもって、前記インタラクティブテキストメモリに記憶されているインタラクティブテキストに代えるが、ただし、前記第２のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものであることとが含まれる。
【００１１】
一実施例において、前記地理的位置座標には、経緯度座標情報と海抜高度情報とが含まれる。
【００１２】
一実施例において、前記インタラクティブテキストには、数字、アルファベット、文字のうち少なくとも１種類が含まれる。
【００１３】
本発明は、他方で、クラウドサーバであって、
対象領域内のすべての地理的位置座標情報を記憶し、対象領域内のすべての放映装置の位置する地理的位置座標を含めるための地理的位置座標データベースと、
地理的位置座標データベース中の各地理的位置座標を中心点として、プリセットされた有効なインタラクティブ地理的領域内に各々の地理的位置座標に対応する複数のインタラクティブテキストを生成し、前記インタラクティブテキストと対応する地理的位置座標とで第１の関連を確立して、各前記インタラクティブテキストと前記有効なインタラクティブ地理的領域内のすべての地理的位置座標とでそれぞれ第２の関連を確立するためのインタラクティブテキスト生成・関連手段と、
放映装置から送信して来た、前記放映装置の地理的位置座標とインタラクティブテキストのプリセット数と放映装置ＩＤとが含まれるインタラクティブテキスト要求情報を受信するためのインタラクティブテキスト要求受信手段と、
前記インタラクティブテキスト要求情報中の地理的位置座標情報に基づいて、前記放映装置の地理的位置座標と第１の関連を確立するすべてのインタラクティブテキストを前記地理的位置座標データベースから選び取って、このすべてのインタラクティブテキストから、他の放映装置ＩＤと関連を確立していないプリセット数のインタラクティブテキストを選び取り、選び出したプリセット数のインタラクティブテキストと前記放映装置ＩＤとで第３の関連を確立するためのインタラクティブテキスト選別手段と、
選び出したプリセット数のインタラクティブテキストを前記放映装置に送信するためのインタラクティブテキスト送信手段と、
端末から送信して来た、インタラクティブテキスト入力情報と前記端末の地理的位置座標及び通信アドレスとを含むインタラクティブテキスト入力コマンドを受信するための端末通信手段と、
前記端末の地理的位置座標と第２の関連を有するインタラクティブテキストにおいて、前記インタラクティブテキスト入力情報中のインタラクティブテキストと同一のインタラクティブテキストの存否を照会するための照会手段と、
前記インタラクティブテキスト入力情報中のインタラクティブテキストと同一のインタラクティブテキストが存在している場合、この同一のインタラクティブテキストと第３の関連を確立する放映装置ＩＤに基づいて前記端末の通信アドレスとインタラクティブテキスト入力情報とを相応の放映装置に送信するための情報送信手段と
を含むクラウドサーバを提供するものである。
【００１４】
一実施例において、前記クラウドサーバには、さらに、前記インタラクティブテキスト生成・関連手段が前記地理的位置座標データベース中の各々の地理的位置座標に、対応する複数のインタラクティブテキストを生成する際にインタラクティブテキストを提供するためのインタラクティブテキストソースデータベースが含まれる。
【００１５】
一実施例において、前記クラウドサーバには、前記地理的位置座標データベース中の各地理的位置座標と第１の関連を確立するインタラクティブテキストに有効表示範囲を設定し、各々のインタラクティブテキストの有効表示範囲をこのインタラクティブテキストの対応する有効なインタラクティブ地理的領域内に位置させて、前記放映装置の地理的位置座標が、その時点で表示されているインタラクティブテキストの有効表示範囲から移動して出る場合、前記放映装置が、その時点で表示されているインタラクティブテキストを表示することを終了するための有効表示範囲設定手段が含まれる。
【００１６】
一実施例において、前記クラウドサーバには、さらに、前記地理的位置座標データベース中の各地理的位置座標と第１の関連を確立するインタラクティブテキストに第２の関連保持時間長を設定し、前記放映装置の地理的位置座標が、その時点で表示されているインタラクティブテキストの有効表示範囲から移動して出る場合、前記第２の関連保持時間長内であれば、その時点で表示されているインタラクティブテキストと前記放映装置ＩＤとで第３の関連を保持するための第２の保持時間長設定手段が含まれる。
【００１７】
一実施例において、前記クラウドサーバには、さらに、
放映装置の地理的位置座標の変化をリアルタイムでモニタリングするための地理的位置モニタリング手段と、
前記放映装置の地理的位置座標が前記インタラクティブテキストメモリ中のインタラクティブテキストの有効表示範囲から移動して出る場合、前記インタラクティブテキストメモリ中の各インタラクティブテキストの関連状態を識別するためのインタラクティブテキスト関連状態識別手段とが含まれる。
【００１８】
一実施例において、前記クラウドサーバには、さらに、
前記インタラクティブテキストメモリ中のインタラクティブテキストとその時点で放映されている動画データ中のインタラクティブコンテンツとが関連しているとともにスクリーン中に表示中である場合、前記第２の関連保持時間長内で、その時点で表示されているインタラクティブテキストと前記放映装置ＩＤとの間の第３の関連を保持しながら、前記放映装置に関連保持コマンドと第１のインタラクティブテキスト更新情報とを送信するための、ただし、前記第１のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものである第１のテキスト更新手段と、
前記インタラクティブテキストメモリ中のインタラクティブテキストが既に表示されることを終了しているが、なおその時点で放映されている動画データ中のインタラクティブコンテンツと関連を保持している場合、前記第２の関連保持時間長内で前記インタラクティブテキストメモリ中のインタラクティブテキストと前記放映装置ＩＤとの間の第３の関連を保持するための第２のテキスト更新手段と、
前記インタラクティブテキストメモリ中のインタラクティブテキストとその時点で放映されている動画データ中のインタラクティブコンテンツとが関連していない場合、前記インタラクティブテキストメモリ中のインタラクティブテキストと前記放映装置ＩＤとの間の第３の関連を解消しながら、前記放映装置にテキスト交換コマンドと第２のインタラクティブテキスト更新情報とを送信するための、ただし、前記第２のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものである第３のテキスト更新手段とが含まれる。
【００１９】
本発明は、また他方で、放映装置であって、
前記放映装置の地理的位置座標とインタラクティブテキストのプリセット数と放映装置ＩＤとが含まれるインタラクティブテキスト要求情報をクラウドサーバに送信するためのインタラクティブテキスト要求送信手段と、
前記クラウドサーバから送信して来たプリセット数のインタラクティブテキストを受信して記憶するためのインタラクティブテキストメモリと、
動画映像データと、インタラクティブ情報とインタラクティブテキストの表示時間長とインタラクティブテキストの第１の関連保持時間長と表示位置座標情報とを含み、前記動画データの放映時間軸における時点で編集された複数のインタラクティブコンテンツと、が含まれる動画データを取得するための動画データ取得手段と、
前記動画データを前記インタラクティブコンテンツの編集された時点に放映する場合、この時点のインタラクティブコンテンツを照会して、照会されたインタラクティブコンテンツと同じ数のインタラクティブテキストを前記インタラクティブテキストメモリから選び出して、照会されたインタラクティブコンテンツと第４の関連を確立し、前記インタラクティブテキストの関連時間長がこれと第４の関連を確立するインタラクティブコンテンツにおける第１の関連保持時間長に達する場合、前記インタラクティブテキストと前記インタラクティブコンテンツとの関連を解消するための関連手段と、
前記動画データを放映し、前記放映装置が前記動画データを放映する過程において、前記表示位置座標情報に基づいて、照会されたインタラクティブコンテンツと第４の関連を確立するインタラクティブテキストを前記放映装置のスクリーン中の相応の位置に表示し、前記インタラクティブテキストの表示される時間長がこれと第４の関連を確立するインタラクティブコンテンツにおける表示時間長に達する場合、このインタラクティブコンテンツをスクリーン中に表示することを終了するための動画放映手段と、
前記クラウドサーバから送信して来た、端末の通信アドレスとインタラクティブテキスト入力情報とを受信し、前記端末の通信アドレスに従って、前記インタラクティブテキスト入力情報中のインタラクティブテキストと関連を確立するインタラクティブコンテンツにおけるインタラクティブ情報を前記端末に送信するための情報送受信手段と
を含む放映装置を提供するものである。
【００２０】
一実施例において、前記動画放映手段には、その時点のスクリーン中に表示されているインタラクティブテキストの有効なインタラクティブ地理的領域を前記インタラクティブテキストのスクリーン中の表示位置の近傍に表示するための表示サブモジュールが含まれる。
【００２１】
一実施例において、プリセットされた有効なインタラクティブ地理的領域内に生成される、各地理的位置座標に対応する複数のインタラクティブテキストは唯一性を有し、前記有効なインタラクティブ地理的領域内のすべての地理的位置座標と既に第２の関連を確立しているインタラクティブテキストとは異なっている。
【００２２】
一実施例において、前記動画放映手段には、さらに、
クラウドサーバから送信して来た関連保持コマンドと第１のインタラクティブテキスト更新情報とを受信して、前記第１のインタラクティブテキスト更新情報とその時点で放映されている動画データ中のインタラクティブコンテンツとで関連を確立してスクリーンに表示し、前記関連保持コマンドに基づいて、前記インタラクティブコンテンツと１つ前のインタラクティブコンテンツとで確立されている関連を保持して、１つ前のインタラクティブコンテンツをスクリーン中で表示することを取り止めるための、ただし、前記第１のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものである第１のコマンド受信モジュールと、
テキスト交換コマンドと第２のインタラクティブテキスト更新情報とを受信し、前記放映装置で、前記テキスト交換コマンドに基づいて、前記第２のインタラクティブテキスト更新情報をもって、前記インタラクティブテキストメモリに記憶されているインタラクティブテキストに代えるための、ただし、前記第２のインタラクティブテキスト更新情報は、前記放映装置ＩＤと第３の関連を確立するインタラクティブテキストであって、このインタラクティブテキストは、前記クラウドサーバが、前記放映装置のその時点の地理的位置座標に基づいて、前記地理的位置座標データベース内の、その時点の地理的位置座標と第１の関連を確立している複数のインタラクティブテキストから選び出すものである第２のコマンド受信モジュールとが含まれる。
【００２３】
本発明は、また他方で、地理的位置情報に基づくインタラクティブシステムであって、前記クラウドサーバと、少なくとも１つの前記放映装置と、インタラクティブテキスト入力情報と前記端末の地理的位置座標及び通信アドレスとを含むインタラクティブテキスト入力コマンドを前記クラウドサーバに送信することに用いられ、前記放映装置から送信して来たインタラクティブ情報を受信し、前記インタラクティブ情報のタイプに基づいてそれに応じた操作をして表示することにさらに用いられる複数の端末とを含むインタラクティブシステムを提供するものである。
【００２４】
本発明を利用すると、放映装置で放映される動画中のインタラクティブコンテンツにおけるインタラクティブ情報をユーザが迅速かつ便利に端末を通して取得できるようになる。
【図面の簡単な説明】
【００２５】
【図１】図１は、本発明の実施例における地理的位置情報に基づくインタラクティブ方法の信号伝達図である。
【図２】図２は、本発明の実施例において第１の関連及び第２の関連を確立する場合の模式図である。
【図３】図３は、本発明の実施例におけるクラウドサーバの構造模式図である。
【図４】図４は、本発明の実施例における放映装置の構造模式図である。
【図５】図５は、本発明の実施例における動画放映手段２４の構造模式図である。
【図６】図６は、本発明の実施例における地理的位置情報に基づくインタラクティブシステムの構造模式図である。
【図７】図７は、本発明の実施例における端末３０の構造模式図である。
【発明を実施するための形態】
【００２６】
以下、本発明の実施例における技術的思想について明確かつ完全に説明するが、説明する実施例は、本発明の一部の実施例であるにすぎず、全部の実施例でないことは明らかである。本発明における実施例から、当業者が創作的な労働を伴わない前提で得る他のすべての実施例も本発明の保護範囲に属するものである。
【００２７】
本発明は、地理的位置情報に基づくインタラクティブ方法を提供するものであるが、当該インタラクティブ方法の信号伝達図は、図１に示す通りで、主に次のステップを含む。
【００２８】
ステップ１．クラウドサーバが、その中の地理的位置座標データベース中の各地理的位置座標を中心点として、プリセットされた有効なインタラクティブ地理的領域内に各々の地理的位置座標に対応する複数のインタラクティブテキストを生成し、上記インタラクティブテキストと対応する地理的位置座標とで第１の関連を確立して、上記各インタラクティブテキストと上記有効なインタラクティブ地理的領域内のすべての地理的位置座標とでそれぞれ第２の関連を確立する。
【００２９】
具体的に実施する際には、通常、その時点の管轄区域内のすべての地理的位置座標を保有し、管轄区域内のすべての放映装置の地理的位置座標を含む地理的位置座標データベースをクラウドサーバに設ける。
【００３０】
ステップ２．放映装置から送信して来た、地理的位置座標データベースに記憶されている当該放映装置の地理的位置座標と、インタラクティブテキストのプリセット数と、放映装置ＩＤと、が含まれるインタラクティブテキスト要求情報を受信する。通常、放映装置ＩＤには、当該放映装置の通信アドレスが含まれる。
【００３１】
具体的に実施する際、上記放映装置は、テレビ、パソコン、屋外スクリーン、車載スクリーンなどの放映装置であってよい。
【００３２】
ステップ３．クラウドサーバが、上記放映装置から送信して来たインタラクティブテキスト要求情報中の地理的位置座標情報に基づいて、当該放映装置の地理的位置座標と第１の関連を確立するすべてのインタラクティブテキストをその中の地理的位置座標データベースから選び取って、このすべてのインタラクティブテキストから、他の放映装置ＩＤと関連を確立していないプリセット数のインタラクティブテキストを選び取り、選び出したプリセット数のインタラクティブテキストと前記放映装置ＩＤとで第３の関連を確立する。
【００３３】
一つの実施例において、地理的位置座標データベース中の地理的位置座標と第１の関連を確立するすべてのインタラクティブテキストは、いずれも放映装置ＩＤのただ一つと関連性を有するので、各々のインタラクティブテキストは、同時に１つの放映装置ＩＤとしか第３の関連を確立することができない。例えば、放映装置がクラウドサーバに送ったインタラクティブ要求におけるインタラクティブテキストのプリセット数は５個であるが、この放映装置の地理的位置座標と第１の関連を確立するインタラクティブテキストは２０個あって、そのうち５個が既に他の放映装置ＩＤと第３の関連を確立している場合、クラウドサーバが、まだ放映装置ＩＤ情報と第３の関連を確立していない残りの１５個のインタラクティブテキストから５個のインタラクティブテキストを選び出してその放映装置ＩＤと第３の関連を確立する。
【００３４】
ステップ４．クラウドサーバが、ステップ３において選び出したプリセット数のインタラクティブテキストを上記放映装置に送信する。
【００３５】
ステップ５．上記放映装置が、クラウドサーバから送信して来たプリセット数のインタラクティブテキストを受信してインタラクティブテキストメモリに記憶させる。
【００３６】
ステップ６．上記放映装置が、動画映像データと、各々にインタラクティブ情報とインタラクティブテキストの表示時間長とインタラクティブテキストの第１の関連保持時間長と表示位置座標情報とをも含み、上記動画データの放映時間軸における時点で編集された複数のインタラクティブコンテンツと、が含まれる動画データを取得する。
【００３７】
通常、上記動画データは、動画データベースからのものであってもよく、ネットワークからのものであってもよく、或いは動画エディターからのものであってもよい。
【００３８】
ステップ７．前記放映装置が上記動画データを放映する過程において、上記動画データをインタラクティブコンテンツの編集された時点に放映する場合、この時点のインタラクティブコンテンツを照会して、照会されたインタラクティブコンテンツと同じ数のインタラクティブテキストを上記インタラクティブテキストメモリから選び出して、照会されたインタラクティブコンテンツと第４の関連を確立し、放映装置が、この照会されたインタラクティブコンテンツにおける表示位置座標情報に基づいて、照会されたインタラクティブコンテンツと第４の関連を確立するインタラクティブテキストを当該放映装置のスクリーン中の相応の位置に表示し、上記インタラクティブテキストの表示される時間長がこれと第４の関連を確立するインタラクティブコンテンツにおけるインタラクティブテキストの表示時間長に達する場合、このインタラクティブコンテンツをスクリーン中に表示することを終了し、上記インタラクティブテキストの関連時間長がこれと第４の関連を確立するインタラクティブコンテンツにおける第１の関連保持時間長に達する場合、上記インタラクティブテキストと上記インタラクティブコンテンツとの関連を解消する。
【００３９】
具体的に実施する際には、上記放映装置で上記動画データを放映する場合、放映装置が、現在の放映時点におけるインタラクティブコンテンツの数に基づいて、相応の数のインタラクティブテキストを上記インタラクティブテキストメモリから選び出して、現在の放映時点における相応の数のインタラクティブコンテンツとそれぞれ一対一の関連である第４の関連を確立し、この相応の数のインタラクティブコンテンツにおける表示位置座標情報に基づいて、これと関連を確立するインタラクティブテキストをそれぞれ放映装置のスクリーン中の相応の位置に表示する。
【００４０】
一実施例において、インタラクティブコンテンツにおけるインタラクティブ情報は、ホームページアドレスのリンク、電話番号、住所情報などの内容であってもよい。例えば、当該放映装置で３つのインタラクティブコンテンツを含む１つの広告動画を取得するとして、これら３つのインタラクティブコンテンツにおけるインタラクティブ情報がそれぞれ電話番号をダイヤルするコマンドと、ホームページアドレスのリンクを開くコマンドと、住所をナビゲーションするコマンドとで、この広告動画を放映する場合、当該放映装置がインタラクティブテキストメモリから３個のインタラクティブテキスト００１、０１０、１００をランダムに選び出して、これら３つのインタラクティブコンテンツとそれぞれ関連を確立し、これら３つのインタラクティブコンテンツにおける表示位置座標情報に基づいてスクリーン中の相応の位置に表示する。
【００４１】
上記インタラクティブテキストの第１の関連保持時間長とは、当該インタラクティブテキストと第４の関連を確立する当該インタラクティブコンテンツを含む動画の放映が終わった後で、放映装置が、第１の関連保持時間長内で、当該インタラクティブコンテンツと当該インタラクティブテキストとの間で確立されている第４の関連を保持することをいい、ここでいう第１の関連保持時間長は１つのプリセットされた関連時間長で、例えば、インタラクティブテキストａ１の第１の関連保持時間長を５分間に設定した場合、インタラクティブテキストａ１と第４の関連を確立するインタラクティブコンテンツを含む動画の放映が終わった後でなお５分間に達していなければ、放映装置が、当該インタラクティブコンテンツと当該インタラクティブテキストａ１との間で確立されている第４の関連を保持して合計５分間保持するようにする。
【００４２】
ステップ８．クラウドサーバが、端末から送信して来た、インタラクティブテキスト入力情報と当該端末の地理的位置座標及び通信アドレスとを含むインタラクティブテキスト入力コマンドを受信する。
【００４３】
具体的に実施する際、上記端末は、携帯電話、ＰＤＡ、タブレットパソコンなどのモバイル端末や、デスクトップパソコンなどの非モバイル端末であってよい。
【００４４】
ステップ９．クラウドサーバが、上記端末の地理的位置座標と第２の関連を有するインタラクティブテキストにおいて、上記インタラクティブテキスト入力情報中のインタラクティブテキストと同一のインタラクティブテキストの存否を照会する。存在していれば、次に進む。
【００４５】
インタラクティブテキスト入力情報には、通常、インタラクティブテキストが含まれ、具体的に実施する際には、クラウドサーバが、上記地理的位置座標データベースを検索して、地理的位置座標データベース中に当該端末の地理的位置座標が存在するか否かをまず確認し、存在していれば、クラウドサーバが既にステップ１において当該地理的位置座標のために複数のインタラクティブテキストを生成したことになり、クラウドサーバは、当該端末の地理的位置座標と第２の関連を確立するインタラクティブテキストにおいて、インタラクティブテキスト入力情報中のインタラクティブテキストと同一のインタラクティブテキストを照会することができる。
【００４６】
ステップ１０．上記インタラクティブテキスト入力情報中のインタラクティブテキストと第３の関連を確立する放映装置ＩＤに基づいて上記端末の通信アドレスとインタラクティブテキスト入力情報とを相応の放映装置に送信する。
【００４７】
ステップ１１．上記放映装置が、クラウドサーバから送信して来た、端末の通信アドレスに従って、上記インタラクティブテキスト入力情報中のインタラクティブテキストと関連を確立するインタラクティブコンテンツにおけるインタラクティブ情報を前記端末に送信する。
【００４８】
ステップ１２．上記端末が、上記インタラクティブ情報を受信し、当該インタラクティブ情報のタイプに基づいてそれに応じた操作をして表示する。
【００４９】
本発明を利用すると、放映装置で放映される動画中のインタラクティブコンテンツにおけるインタラクティブ情報をユーザが迅速かつ便利に端末を通して取得できるようになる。
【００５０】
具体的に実施する際、放映装置は、テレビ、パソコン、屋外大スクリーンなどの放映装置であってよく、インタラクティブ情報は、ホームページアドレスのリンク、電話番号、住所情報、音響映像データなどの内容であってもよく、端末は、携帯電話、ＰＤＡ、タブレットパソコンなどのモバイル端末や、デスクトップパソコンなどの非モバイル端末であってよい。本発明では、端末がスマートフォンである例のみを説明するが、当該スマートフォンがインタラクティブ情報を受信してこのインタラクティブ情報が１つの住所ナビゲーション情報であると判断した場合、このスマートフォンは、自動的に地図ナビゲーションプログラムを開いて、このスマートフォンのその時点の地理的位置からインタラクティブ情報中の目的地に行くナビゲーションコースをプランニングする。
【００５１】
本発明による地理的位置情報に基づくインタラクティブ方法について、さらに一実施例を提供し、次の通り説明する。
【００５２】
放映装置が、少なくとも１つのインタラクティブコンテンツが含まれる動画データを取得し、当該放映装置の地理的空間位置座標情報と、その地理的空間位置座標情報に基づくインタラクティブ地理的空間領域の選択情報と、インタラクティブテキストの生成数情報と、放映装置の通信アドレス情報及びＩＤ情報と、を含むインタラクティブテキスト要求情報をクラウドサーバに送信する。
【００５３】
クラウドサーバは、上記インタラクティブテキスト要求情報を受領した後で、その中の地理的空間位置座標情報と、当該地理的空間位置座標情報に基づくインタラクティブ地理的空間領域の選択情報と、に基づいて相応のインタラクティブ地理的空間領域を決定し、プリセットされたインタラクティブテキスト生成ルールに基づいて、上記インタラクティブ地理的空間領域内で有効な複数のインタラクティブテキストを生成して、上記の有効なインタラクティブテキストを同じ２部に複製し、そのうち１部のインタラクティブテキストに放映装置の通信アドレス情報とＩＤ情報とインタラクティブ地理的空間領域情報とを書き込んで、複数のインタラクティブアイテムを生成してインタラクティブアイテムデータベースに記憶させ、もう１部のインタラクティブテキストを上記放映装置に送信する。
【００５４】
上記放映装置が上記インタラクティブテキストを受信した後で、この一部のインタラクティブテキストを動画データ中の相応の数のインタラクティブコンテンツとそれぞれ関連させてインタラクティブコンテンツメモリに記憶させる。上記動画データを放映する際には、上記インタラクティブコンテンツの表示位置情報に基づいて、インタラクティブコンテンツと関連のある相応のインタラクティブテキストを放映装置のスクリーン中の相応の位置に表示する。
【００５５】
クラウドサーバや放映装置は、いずれも端末からのインタラクティブテキスト入力コマンドを受信し、インタラクティブテキスト入力コマンドに基づいて、当該インタラクティブテキスト入力コマンド中のインタラクティブテキスト情報と関連のあるインタラクティブコンテンツをサーチして、その後でこのインタラクティブコンテンツにおけるインタラクティブ情報を端末に送信することができる。
【００５６】
端末は、上記インタラクティブ情報を受信して、それに応じた操作と表示をする。
【００５７】
上記プリセットされたインタラクティブテキスト生成ルールには、次のことが含まれる。クラウドサーバが、インタラクティブテキストを生成しようとするインタラクティブ地理的空間領域を決定して、その後で、既存のインタラクティブ地理的空間領域が一部の領域で又は全部の領域でインタラクティブテキストを生成しようとするインタラクティブ地理的空間領域内のインタラクティブテキストにかぶさることを検知し、上記インタラクティブ地理的空間領域内で唯一性を有し、他の既存のインタラクティブテキストと重複しない複数のインタラクティブテキストをインタラクティブテキストソースデータベースから選択して生成するので、２個の同一のインタラクティブテキストのインタラクティブ地理的空間領域が重なるということは存在しない。例えば、クラウドサーバが、放映装置から送信して来たインタラクティブテキスト要求情報を受信して、このインタラクティブテキスト要求情報が、指定の地理的空間領域内で有効な５個のインタラクティブテキストの生成をクラウドサーバに要求している場合、クラウドサーバは、インタラクティブテキスト要求情報に基づいて相応のインタラクティブ地理的空間領域を決定して、その後で、１０個のインタラクティブテキストのインタラクティブ地理的空間領域が一部の領域で又は全部の領域でこのインタラクティブ地理的空間領域にかぶることを検知し、５個のインタラクティブテキストをインタラクティブテキストソースデータベースから選択して生成する場合には、この１０個のインタラクティブテキストをインタラクティブテキストソースデータベースから排除する。
【００５８】
一実施例において、プリセットされた有効なインタラクティブ地理的領域内に生成される、各地理的位置座標に対応する複数のインタラクティブテキストは唯一性を有し、上記有効なインタラクティブ地理的領域内のすべての地理的位置座標と第２の関連を確立するインタラクティブテキストとは異なっている。
【００５９】
図２は、本発明の実施例において第１の関連及び第２の関連を確立する場合の模式図である。クラウドサーバが地理的位置座標データベース中の地理的位置座標Ａ（説明の便宜のため、以下単に「座標Ａ」という）に、座標Ａを中心点とする１００メートル範囲内の１０個のインタラクティブテキストａ１〜ａ１０を生成して、この１０個のインタラクティブテキストと対応する座標Ａとで第１の関連を確立しながら、この１０個のインタラクティブテキストにおける各々と、座標Ａを中心点とする１００メートル範囲内のすべての座標（すなわち、座標Ａ、Ａ１、Ａ２、Ａ３、Ａ４）とで第２の関連を確立するが、各々のインタラクティブテキストが、座標Ａを中心点とする１００メートル範囲内で唯一性を有するとは、各々のインタラクティブテキスト（例えば、ａ２〜ａ１０のうちいずれか１個）が、この範囲内のすべての座標（すなわち、座標Ａ、Ａ１、Ａ２、Ａ３）と既に第２の関連を確立している他のインタラクティブテキストと同一でないことをいう。また、唯一性は、さらに、インタラクティブテキストａ１と第２の関連を確立する座標Ａ４が、座標Ａを中心点とする円内にあって、地理的位置座標Ｂを中心点とする円内にもあれば、インタラクティブテキストａ１が座標Ａ４と既に第２の関連を確立していることから、地理的位置座標Ｂの、第１の関連を確立するためのインタラクティブテキストを生成する際に、インタラクティブテキストａ１は排除される必要があることにも表れる。
【００６０】
一実施例において、上記放映装置は、さらに、その時点のスクリーン中に表示されているインタラクティブテキストの有効なインタラクティブ地理的領域を相応のインタラクティブテキストのスクリーン中の表示位置の近傍に表示することもできる。
【００６１】
例えば、放映装置のスクリーンに表示されるインタラクティブテキストａ１の有効なインタラクティブ地理的領域が、このインタラクティブテキストａ１と第１の関連を確立する地理的位置座標Ａを中心点とする半径１００メートルの範囲であれば、この放映装置は、半径１００メートルをインタラクティブテキストａ１の近傍の位置に表示する。
【００６２】
一実施例において、上記インタラクティブテキストは、比較的簡単な数字、アルファベット、文字のいずれか又はそれらの組合せとすることができる。例えば、インタラクティブテキストを０１、ＡＢ、張三、Ａ１、李Ａなどとしてもよい。
【００６３】
クラウドサーバは、上記地理的位置座標データベース中の各地理的位置座標と第１の関連を確立するすべてのインタラクティブテキストにそれぞれ有効表示範囲を設定し、各々のインタラクティブテキストの有効表示範囲をこのインタラクティブテキストの対応する有効なインタラクティブ地理的領域内に位置させるとともに、その対応する有効なインタラクティブ地理的領域より小さくする。放映装置の地理的位置座標が、あるインタラクティブコンテンツと第４の関連を確立しているとともにスクリーン中に表示中であるインタラクティブテキストの有効表示範囲から移動して出る場合、このインタラクティブテキストをスクリーン中で表示することを取り止める。例えば、あるインタラクティブテキストａ２の有効なインタラクティブ地理的領域が、これと第１の関連を確立する地理的位置座標Ａを中心点として半径１００メートルの円内であれば、座標Ａを中心点として半径５０メートルの円内にこのインタラクティブテキストの有効表示範囲を設定することができる。
【００６４】
クラウドサーバは、上記地理的位置座標データベース中の各地理的位置座標と第１の関連を確立するすべてのインタラクティブテキストにおける各々のインタラクティブテキストに第２の関連保持時間長を設定し、この第２の関連保持時間長内であれば、上記放映装置の地理的位置座標が、あるインタラクティブコンテンツと第４の関連を確立しているインタラクティブテキストの有効表示範囲から移動して出る場合、クラウドサーバが、このインタラクティブテキストと上記放映装置のＩＤ情報とで上記地理的位置座標データベースにおいて確立されている第３の関連を保持する。例えば、クラウドサーバがインタラクティブテキストａ３に設定する第２の関連保持時間長が１０分間であれば、インタラクティブテキストａ３と第３の関連を確立する放映装置がインタラクティブテキストａ３の有効表示範囲から移動して出る場合、クラウドサーバは、インタラクティブテキストａ３とこの放映装置のＩＤ情報との間で確立されている第３の関連を１０分間内で保持する。
【００６５】
一実施例において、上記インタラクティブ方法には、さらに、クラウドサーバが、上記放映装置の地理的位置座標の変化をモニタリングして、上記放映装置の地理的位置座標がそのインタラクティブテキストメモリ中のインタラクティブテキストの有効表示範囲から移動して出る場合、クラウドサーバが、このインタラクティブテキストメモリ中の各インタラクティブテキストの関連状態に主に含まれる次の３通りの関連状態を識別することが含まれる。
【００６６】
インタラクティブテキストメモリ中のインタラクティブテキストとその時点で放映されている動画データ中のインタラクティブコンテンツとが関連している（すなわち、第４の関連）とともにスクリーン中に表示中である場合、上記第２の関連保持時間長内で、このインタラクティブテキストと上記放映装置ＩＤとの間で確立されている第３の関連を保持しながら、上記放映装置に関連保持コマンドとインタラクティブテキスト更新情報とを送信する。このインタラクティブテキスト更新情報には、クラウドサーバが、この放映装置のその時点の地理的位置座標に基づいて、地理的位置座標データベース内の、その時点の地理的位置座標と第１の関連を確立している複数のインタラクティブテキストから選び出すものであって、この放映装置のＩＤと第３の関連を確立する新しいインタラクティブテキストが含まれる。放映装置は、受信した関連保持コマンドに基づいて、インタラクティブテキスト更新情報中の新しいインタラクティブテキストとその時点で放映されている動画データ中のインタラクティブコンテンツとで関連を確立してスクリーン中の相応の位置に表示し、その時点で放映されている動画中のインタラクティブコンテンツともとのインタラクティブテキストとで確立されている関連を保持するが、もとのインタラクティブテキストをスクリーン中で表示することを取り止めるので、もとのインタラクティブテキストと新しいインタラクティブテキストとで、その時点で放映されている動画中のインタラクティブコンテンツとの関連が同時に保持されるが、スクリーンに表示されるのは新しいインタラクティブテキストとなる。
【００６７】
インタラクティブテキストメモリ中のインタラクティブテキストが既に表示されることを終了しているが、なお放映装置がその時点で放映している動画データ中のインタラクティブコンテンツと関連を保持していれば、クラウドサーバが、上記第２の関連保持時間長内でこのインタラクティブテキストとこの放映装置のＩＤとの間で確立された第３の関連を保持する。
【００６８】
インタラクティブテキストメモリ中のインタラクティブテキストと放映装置がその時点で放映している動画データ中のインタラクティブコンテンツとが関連していなければ、クラウドサーバが、上記インタラクティブテキストとこの放映装置のＩＤとで確立された第３の関連を解消しながら、この放映装置にテキスト交換コマンドと上記インタラクティブテキスト更新情報とを送信するが、このインタラクティブテキスト更新情報には、クラウドサーバが、この放映装置のその時点の地理的位置座標に基づいて、地理的位置座標データベース中とその時点の地理的位置座標とで第１の関連を確立している複数のインタラクティブテキストから選び出すものであって、この放映装置のＩＤと第３の関連を確立する新しいインタラクティブテキストが含まれる。放映装置は、前記テキスト交換コマンドに基づいて、インタラクティブテキスト更新情報中の新しいインタラクティブテキストをもって、前記インタラクティブテキストメモリに記憶されている前記のもとのインタラクティブテキストに代える。
【００６９】
例えば、放映装置のインタラクティブテキストメモリに１個のインタラクティブテキストａ４が記憶されていて、クラウドサーバが、放映装置Ｓがインタラクティブテキストａ４の有効表示範囲に移動したことを検知した場合、インタラクティブテキストａ４の関連状態を識別して、インタラクティブテキストａ４が、放映装置Ｓがその時点で放映している動画中の１個のインタラクティブコンテンツと関連を確立していてスクリーンに表示されている場合、１つの第２の関連保持時間長内で、このインタラクティブテキストａ４と放映装置ＳのＩＤとで地理的位置座標データベースにおいて確立されている第３の関連を保持しながら、放映装置Ｓに関連保持コマンドとインタラクティブテキスト更新情報とを送信する。このインタラクティブテキスト更新情報には、クラウドサーバが、放映装置Ｓのその時点の地理的位置座標に基づいて、地理的位置座標データベース中とその時点の地理的位置座標とで第１の関連を確立している複数のインタラクティブテキストから選び出すものであって、放映装置ＳのＩＤと第３の関連を確立する１個の新しいインタラクティブテキストａ５が含まれる。放映装置Ｓは、このインタラクティブテキスト更新情報を受信した後で、関連保持コマンドに基づいて、インタラクティブテキストａ４とその時点で放映されている動画中のインタラクティブコンテンツとで確立されている関連を背景関連に変更しながら、インタラクティブテキストａ４をスクリーン中で表示することを取り止め、新しいインタラクティブテキストａ５とこのインタラクティブコンテンツとで関連を確立し、このインタラクティブコンテンツにおける表示位置座標情報に基づいて、新しいインタラクティブテキストａ５をスクリーン中の相応の位置に表示するので、その時点のインタラクティブコンテンツとインタラクティブテキストａ４及びａ５とで同時に関連が確立されるが、スクリーンに表示されるのは新しいインタラクティブテキストａ５となる。インタラクティブテキストａ４が既に表示されることを終了しているが、なおその時点で放映されている動画中のあるインタラクティブコンテンツと関連を保持していれば、クラウドサーバが、第２の関連保持時間長内でこのインタラクティブテキストａ４と放映装置ＳのＩＤとで地理的位置座標データベースにおいて確立されている第３の関連を保持する。インタラクティブテキストａ４と放映装置Ｓがその時点で放映している動画中のインタラクティブコンテンツとが関連を確立していなければ、クラウドサーバが、インタラクティブテキストａ４と放映装置ＳのＩＤとで地理的位置座標データベースにおいて確立されている第３の関連を解消しながら、放映装置Ｓにテキスト交換コマンドともう１つのインタラクティブテキスト更新情報とを送信する。このインタラクティブテキスト更新情報には、クラウドサーバが、放映装置Ｓのその時点の地理的位置座標に基づいて、地理的位置座標データベース中とその時点の地理的位置座標とで第１の関連を確立している複数のインタラクティブテキストから選び出すものであって、放映装置ＳのＩＤと第３の関連を確立する新しいインタラクティブテキストａ６が含まれる。放映装置は、インタラクティブテキスト更新情報を受信し、テキスト交換コマンドに基づいて、インタラクティブテキスト更新情報中の新しいインタラクティブテキストａ６をもって、インタラクティブテキストメモリに記憶されているもとのインタラクティブテキストａ４に代えるので、もとのインタラクティブテキストａ４を削除する。
【００７０】
一実施例において、上記地理的位置座標には、経緯度座標情報と海抜高度情報とが含まれる。具体的に実施する際、経緯度座標情報は、ＧＰＳ測位、ＩＰアドレス、セルタワーデータ又はＷｉＦｉ接続によって取得してもよく、海抜高度情報は、気圧センサー又はＧＰＳ測位によって取得してもよい。
【００７１】
図１、図２に示す地理的位置情報に基づくインタラクティブ方法と同一の発明の構想に基づき、本発明の実施例では、さらに、次の実施例に示す通りのクラウドサーバも提供する。当該クラウドサーバによって課題が解決される原理は、地理的位置情報に基づくインタラクティブ方法において用いられるクラウドサーバのものと類似しているので、当該クラウドサーバの実施については、地理的位置情報に基づくインタラクティブ方法の実施を参照すればよい。重複する点については、これ以上説明することはしない。
【００７２】
図３は、本発明の実施例におけるクラウドサーバの構造模式図である。図３に示すように、当該クラウドサーバには、地理的位置座標データベース１１と、インタラクティブテキスト生成・関連手段１２と、インタラクティブテキスト要求受信手段１３と、インタラクティブテキスト選別手段１４と、インタラクティブテキスト送信手段１５と、端末通信手段１６と、照会手段１７と、情報送信手段１８とが含まれる。
【００７３】
地理的位置座標データベース１１は、対象領域内のすべての地理的位置座標情報を記憶し、対象領域内のすべての放映装置の位置する地理的位置座標を含めるためのものである。
【００７４】
インタラクティブテキスト生成・関連手段１２は、地理的位置座標データベース１１中の各地理的位置座標を中心点として、プリセットされた有効なインタラクティブ地理的領域内に各々の地理的位置座標に対応する複数のインタラクティブテキストを生成し、前記インタラクティブテキストと対応する地理的位置座標とで第１の関連を確立して、各前記インタラクティブテキストと前記有効なインタラクティブ地理的領域内のすべての地理的位置座標とでそれぞれ第２の関連を確立するためのものである。
【００７５】
インタラクティブテキスト要求受信手段１３は、放映装置から送信して来た、この放映装置の地理的位置座標とインタラクティブテキストのプリセット数と放映装置ＩＤとが含まれるインタラクティブテキスト要求情報を受信するためのものである。
【００７６】
インタラクティブテキスト選別手段１４は、上記インタラクティブテキスト要求情報中の地理的位置座標情報に基づいて、上記放映装置の地理的位置座標と第１の関連を確立するすべてのインタラクティブテキストを地理的位置座標データベース１１から選び取って、このすべてのインタラクティブテキストから、他の放映装置ＩＤと関連を確立していないプリセット数のインタラクティブテキストを選び取り、選び出したプリセット数のインタラクティブテキストと当該放映装置ＩＤとで第３の関連を確立するためのものである。
【００７７】
インタラクティブテキスト送信手段１５は、選び出したプリセット数のインタラクティブテキストを前記放映装置に送信するためのものである。
【００７８】
端末通信手段１６は、端末から送信して送信して来た、インタラクティブテキスト入力情報とこの端末の地理的位置座標及び通信アドレスとを含むインタラクティブテキスト入力コマンドを受信するためのものである。
【００７９】
照会手段１７は、上記端末の地理的位置座標と第２の関連を有するインタラクティブテキストにおいて、上記インタラクティブテキスト入力情報中のインタラクティブテキストと同一のインタラクティブテキストの存否を照会するためのものである。
【００８０】
情報送信手段１８は、上記インタラクティブテキスト入力情報中のインタラクティブテキストと同一のインタラクティブテキストが存在している場合、この同一のインタラクティブテキストと第３の関連を確立する放映装置ＩＤに基づいて上記端末の通信アドレスとインタラクティブテキスト入力情報とを相応の放映装置に送信するためのものである。
【００８１】
一実施例において、上記クラウドサーバには、さらに、インタラクティブテキスト生成・関連手段１２が地理的位置座標データベース１１中の各々の地理的位置座標に、対応する複数のインタラクティブテキストを生成する際にインタラクティブテキストを提供するためのインタラクティブテキストソースデータベース１９が含まれる。
【００８２】
一実施例において、上記クラウドサーバには、地理的位置座標データベース１１中の各地理的位置座標と第１の関連を確立するインタラクティブテキストに有効表示範囲を設定し、各々のインタラクティブテキストの有効表示範囲をこのインタラクティブテキストの対応する有効なインタラクティブ地理的領域内に位置させて、放映装置の地理的位置座標が、その時点で表示されているインタラクティブテキストの有効表示範囲から移動して出る場合、この放映装置が、その時点で表示されているインタラクティブテキストを表示することを終了するための有効表示範囲設定手段１１０が含まれる。
【００８３】
一実施例において、上記クラウドサーバには、さらに、地理的位置座標データベース１１中の各地理的位置座標と第１の関連を確立するインタラクティブテキストに第２の関連保持時間長を設定し、放映装置の地理的位置座標が、その時点で表示されているインタラクティブテキストの有効表示範囲から移動して出る場合、この第２の関連保持時間長内であれば、その時点で表示されているインタラクティブテキストと上記放映装置のＩＤとで第３の関連を保持するための第２の保持時間長設定手段１１１が含まれる。
【００８４】
一実施例において、前記クラウドサーバには、さらに、地理的位置モニタリング手段１１２と、インタラクティブテキスト関連状態識別手段１１３とが含まれる。ただし、地理的位置モニタリング手段１１２は、放映装置の地理的位置座標の変化をリアルタイムでモニタリングするためのもので、インタラクティブテキスト関連状態識別手段１１３は、上記放映装置の地理的位置座標が前記インタラクティブテキストメモリ中のインタラクティブテキストの有効表示範囲から移動して出る場合、放映装置のインタラクティブテキストメモリ中の各インタラクティブテキストの関連状態を識別するためのものである。
【００８５】
一実施例において、上記クラウドサーバには、さらに、第１のテキスト更新手段１１４と、第２のテキスト更新手段１１５と、第３のテキスト更新手段１１６とが含まれる。
【００８６】
第１のテキスト更新手段１１４は、放映装置のインタラクティブテキストメモリ中のインタラクティブテキストとその時点で放映されている動画データ中のインタラクティブコンテンツとが関連しているとともにスクリーン中に表示中である場合、上記第２の関連保持時間長内で、その時点で表示されているインタラクティブテキストと上記放映装置のＩＤとの間の第３の関連を保持しながら、上記放映装置に関連保持コマンドと第１のインタラクティブテキスト更新情報とを送信するためのもので、ただし、第１のインタラクティブテキスト更新情報は、前記放映装置ＩＤと第３の関連を確立するインタラクティブテキストであって、このインタラクティブテキストは、クラウドサーバが、上記放映装置のその時点の地理的位置座標に基づいて、地理的位置座標データベース１１内とその時点の地理的位置座標とで第１の関連を確立している複数のインタラクティブテキストから選び出すものである。
【００８７】
第２のテキスト更新手段１１５は、放映装置のインタラクティブテキストメモリ中のインタラクティブテキストが既に表示されることを終了しているが、なおその時点で放映されている動画データ中のインタラクティブコンテンツと関連を保持している場合、上記第２の関連保持時間長内で上記インタラクティブテキストメモリ中のインタラクティブテキストと上記放映装置のＩＤとの間の第３の関連を保持するためのものである。
【００８８】
第３のテキスト更新手段１１６は、放映装置のインタラクティブテキストメモリ中のインタラクティブテキストとその時点で放映されている動画データ中のインタラクティブコンテンツとが関連していない場合、上記インタラクティブテキストメモリ中のインタラクティブテキストと上記放映装置ＩＤとの間の第３の関連を解消しながら、上記放映装置にテキスト交換コマンドと第２のインタラクティブテキスト更新情報とを送信するためのもので、ただし、第２のインタラクティブテキスト更新情報は、上記放映装置のＩＤと第３の関連を確立するインタラクティブテキストであって、このインタラクティブテキストは、クラウドサーバが、上記放映装置のその時点の地理的位置座標に基づいて、地理的位置座標データベース１１内とその時点の地理的位置座標とで第１の関連を確立している複数のインタラクティブテキストから選び出すものである。
【００８９】
図１、図２に示す地理的位置情報に基づくインタラクティブ方法と同一の発明の構想に基づき、本発明の実施例では、さらに、次の実施例に示す通りの放映装置も提供する。当該放映装置によって課題が解決される原理は、地理的位置情報に基づくインタラクティブ方法において用いられる放映装置のものと類似しているので、当該放映装置の実施については、地理的位置情報に基づくインタラクティブ方法の実施を参照すればよい。重複する点については、これ以上説明することはしない。
【００９０】
図４は、本発明の実施例における放映装置の構造模式図である。図４に示すように、当該放映装置には、インタラクティブテキスト要求送信手段２１と、インタラクティブテキストメモリ２２と、動画データ取得手段２３と、関連手段２４と、動画放映手段２５と、情報送受信手段２６とが含まれる。
【００９１】
インタラクティブテキスト要求送信手段２１は、当該放映装置の地理的位置座標とインタラクティブテキストのプリセット数と放映装置ＩＤとが含まれるインタラクティブテキスト要求情報をクラウドサーバに送信するためのものである。
【００９２】
インタラクティブテキストメモリ２２は、クラウドサーバから送信して来たプリセット数のインタラクティブテキストを受信して記憶するためのものである。
【００９３】
動画データ取得手段２３は、動画映像データと、インタラクティブ情報とインタラクティブテキストの表示時間長とインタラクティブテキストの第１の関連保持時間長と表示位置座標情報とを各々にいずれも含み、上記動画データの放映時間軸における時点で編集された複数のインタラクティブコンテンツと、が含まれる動画データを取得するためのものである。
【００９４】
関連手段２４は、上記動画データを上記インタラクティブコンテンツの編集された時点に放映する場合、この時点のインタラクティブコンテンツを照会して、照会されたインタラクティブコンテンツと同じ数のインタラクティブテキストをインタラクティブテキストメモリ２２から選び出して、照会されたインタラクティブコンテンツと第４の関連を確立し、上記インタラクティブテキストの関連時間長がこれと第４の関連を確立するインタラクティブコンテンツにおける第１の関連保持時間長に達する場合、上記インタラクティブテキストと前記インタラクティブコンテンツとの関連を解消するためのものである。
【００９５】
動画放映手段２５は、上記動画データを放映し、上記放映装置が上記動画データを放映する過程において、上記表示位置座標情報に基づいて、照会されたインタラクティブコンテンツと第４の関連を確立するインタラクティブテキストをこの放映装置のスクリーン中の相応の位置に表示し、上記インタラクティブテキストの表示される時間長がこれと第４の関連を確立するインタラクティブコンテンツにおける表示時間長に達する場合、このインタラクティブコンテンツをスクリーン中に表示することを終了するためのものである。
【００９６】
情報送受信手段２６は、クラウドサーバから送信して来た、端末の通信アドレスとインタラクティブテキスト入力情報とを受信し、上記端末の通信アドレスに従って、上記インタラクティブテキスト入力情報中のインタラクティブテキストと関連を確立するインタラクティブコンテンツにおけるインタラクティブ情報を前記端末に送信するためのものである。
【００９７】
一実施例において、動画放映手段２４には、その時点のスクリーン中に表示されているインタラクティブテキストの有効なインタラクティブ地理的領域をこのインタラクティブテキストのスクリーン中の表示位置の近傍に表示するための表示サブモジュール２４１が含まれる。
【００９８】
通常、プリセットされた有効なインタラクティブ地理的領域内に生成される、各地理的位置座標に対応する複数のインタラクティブテキストは唯一性を有し、上記有効なインタラクティブ地理的領域内のすべての地理的位置座標と既に第２の関連を確立しているインタラクティブテキストとは異なっている。
【００９９】
一実施例において、図５に示すように、動画放映手段２４には、さらに、第１のコマンド受信モジュール２４２と、第２のコマンド受信モジュール２４３とが含まれる。
【０１００】
第１のコマンド受信モジュール２４２は、クラウドサーバから送信して来た関連保持コマンドと第１のインタラクティブテキスト更新情報とを受信して、第１のインタラクティブテキスト更新情報とその時点で放映されている動画データ中のインタラクティブコンテンツとで関連を確立してスクリーンに表示し、上記関連保持コマンドに基づいて、上記インタラクティブコンテンツと１つ前のインタラクティブコンテンツとで確立されている関連を保持して、１つ前のインタラクティブコンテンツをスクリーン中で表示することを取り止めるためのもので、ただし、上記第１のインタラクティブテキスト更新情報は、前記放映装置ＩＤと第３の関連を確立するインタラクティブテキストであって、このインタラクティブテキストは、クラウドサーバが、この放映装置のその時点の地理的位置座標に基づいて、地理的位置座標データベース１１内とその時点の地理的位置座標とで第１の関連を確立している複数のインタラクティブテキストから選び出すものである。
【０１０１】
第２のコマンド受信モジュール２４３は、テキスト交換コマンドと第２のインタラクティブテキスト更新情報とを受信し、上記テキスト交換コマンドに基づいて、第２のインタラクティブテキスト更新情報をもって、インタラクティブテキストメモリ２２に記憶されているインタラクティブテキストに代えるためのもので、ただし、第２のインタラクティブテキスト更新情報は、当該放映装置のＩＤと第３の関連を確立するインタラクティブテキストであって、このインタラクティブテキストは、クラウドサーバが、この放映装置のその時点の地理的位置座標に基づいて、地理的位置座標データベース１１内とその時点の地理的位置座標とで第１の関連を確立している複数のインタラクティブテキストから選び出すものである。
【０１０２】
一実施例において、放映装置は、テレビ、パソコン、屋外ディスプレイスクリーンのいずれか又は組合せであってよい。
【０１０３】
図１、図２に示す地理的位置情報に基づくインタラクティブ方法と同一の発明の構想に基づき、本発明の実施例では、さらに、次の実施例に示す通りの地理的位置情報に基づくインタラクティブシステムも提供する。当該地理的位置情報に基づくインタラクティブシステムによって課題が解決される原理は、地理的位置情報に基づくインタラクティブ方法のものと類似しているので、当該地理的位置情報に基づくインタラクティブシステムの実施については、地理的位置情報に基づくインタラクティブ方法の実施を参照すればよい。重複する点については、これ以上説明することはしない。
【０１０４】
図６は、本発明の実施例における地理的位置情報に基づくインタラクティブシステムの構造模式図である。図６に示すように、当該地理的位置情報に基づくインタラクティブシステムには、１つの前述のクラウドサーバ１０と、少なくとも１つの前述の放映装置２０と、複数の端末３０とが含まれる。ここでいうクラウドサーバ１０の構造については、図３を参照すればよく、放映装置２０の構造模式図は、図４を参照すればよい。
【０１０５】
端末３０は、インタラクティブテキスト入力情報と端末３０の地理的位置座標及び通信アドレスとを含むインタラクティブテキスト入力コマンドをクラウドサーバ１０に送信するためのもので、さらに、放映装置２０から送信して来たインタラクティブ情報を受信し、このインタラクティブ情報のタイプに基づいてそれに応じた操作をして表示するためのものである。
【０１０６】
図７に示すように、一実施例において、端末３０には、測位情報取得手段３１と、マンマシンインタラクティブ手段３２と、情報送受信手段３３とが通常含まれる。
【０１０７】
測位情報取得手段３１は、当該端末の地理的空間位置座標情報を取得するためのものである。マンマシンインタラクティブ手段３２は、ユーザが入力するインタラクティブテキスト入力情報を取得するためのものである。情報送受信手段３３は、インタラクティブテキスト入力情報と端末３０の地理的位置座標及び通信アドレスとを含むインタラクティブテキスト入力コマンドをクラウドサーバ１０に送信するためのもので、さらに、放映装置２０から送信して来たインタラクティブ情報を受信し、マンマシンインタラクティブ手段３２がこのインタラクティブ情報のタイプに基づいてそれに応じた操作をして表示するためのものである。
【０１０８】
端末３０の受信するインタラクティブ情報は、自動的に端末中の地図ナビゲーションアプリケーションプログラムを開いて端末のその時点の座標からある地点までナビゲーションする１つのナビゲーションコマンドのような１つのコマンドであってもよく、１枚のピクチャーのような１つのテキストであってもよい。
【０１０９】
一実施例において、上記情報送受信手段３３は、ＷｉＦｉモジュール若しくはブルートゥース（登録商標）モジュール、又はＧＰＳモジュールなどの、無線通信に用いることのできる機能モジュールであってよい。
【０１１０】
具体的に実施する際、端末３０がタブレットパソコンであって、放映装置から送信して来たインタラクティブ情報を受信した後で、このインタラクティブ情報が１曲の歌曲であると判断すれば、このタブレットパソコンが音楽プログラムを開いてこの歌曲を放映する。他の一実施例において、端末３０がカーナビゲーションであって、放映装置から送信して来たインタラクティブ情報を受信した後で、このインタラクティブ情報が１つの住所情報であると判断すれば、このカーナビゲーションがナビゲーションプログラムを開いてこの住所に到達するコースをプランニングする。
【０１１１】
以上に説明したことから、本発明の実施例における地理的位置情報に基づくインタラクティブ方法、クラウドサーバ、放映装置及びインタラクティブシステムによって、ユーザは、放映装置のインタラクティブコンテンツにおけるインタラクティブ情報を迅速かつ便利に端末を通して取得できるようになり、ユーザに優れた体験がもたらされる。
【０１１２】
本発明の実施例が方法、システム又はコンピュータプログラム製品として提供可能であることは、当業者にとって明白というべきである。従って、本発明は、完全にハードウェアである実施例、完全にソフトウェアである実施例、又はソフトウェアの部分とハードウェアの部分を組み合わせた実施例の形態をとることができる。また、本発明は、その中にコンピュータで利用可能なプログラムコードを含む、１つ又は複数のコンピュータで利用可能な記憶媒体（磁気ディスクメモリ、ＣＤ‐ＲＯＭ、光学メモリなどを含むがこれらに限られない）において実施されるコンピュータプログラム製品の形態をとることができる。
【０１１３】
以上に記載した具体的な実施例は、本発明の目的、技術的思想及び有益な効果についてさらに詳細に説明するものであるが、以上の記載は、本発明の具体的な実施例にすぎず、本発明の保護範囲を限定するためのものでないので、およそ本発明の趣旨と原則の範囲で行われるいかなる修正、均等な置換、改良などもすべて本発明の保護範囲内に含まれるべきと解されるべきである。
【図１】
2018516517.tif 000003
【図２】
2018516517.tif 000004
【図３】
2018516517.tif 000005
【図４】
2018516517.tif 000006
【図５】
2018516517.tif 000007
【図６】
2018516517.tif 000008
【図７】
2018516517.tif 000009
【手続補正書】
【提出日】平成29年12月12日(2017.12.12)
【手続補正１】
【補正対象書類名】明細書
【補正対象項目名】０００１
【補正方法】変更
【補正の内容】
【０００１】
＜相互参照＞
本発明は、中国特許出願（出願番号２０１５１０１６７１４７．４、出願日２０１５年４月１０日）に基づく優先権を主張して、中国特許出願（出願番号２０１５１０４７１５４９．３、出願日２０１５年７月２６日）に基づく優先権を主張し、かつ、これらの出願のすべての内容を参照することにより組み込むものである。
＜技術分野＞
本発明は、スクリーン情報インタラクティブ技術に関し、特に、地理的位置情報に基づくインタラクティブ方法、クラウドサーバ、放映装置及びシステムに関するものである。
【手続補正２】
【補正対象書類名】明細書
【補正対象項目名】００２５
【補正方法】変更
【補正の内容】
【００２５】
【図１】図１は、本発明の実施例における地理的位置情報に基づくインタラクティブ方法の信号伝達図である。
【図２】図２は、本発明の実施例において第１の関連及び第２の関連を確立する場合の模式図である。
【図３】図３は、本発明の実施例におけるクラウドサーバの構造模式図である。
【図４】図４は、本発明の実施例における放映装置の構造模式図である。
【図５】図５は、本発明の実施例における動画放映手段２５の構造模式図である。
【図６】図６は、本発明の実施例における地理的位置情報に基づくインタラクティブシステムの構造模式図である。
【図７】図７は、本発明の実施例における端末３０の構造模式図である。
【手続補正３】
【補正対象書類名】明細書
【補正対象項目名】００５９
【補正方法】変更
【補正の内容】
【００５９】
図２は、本発明の実施例において第１の関連及び第２の関連を確立する場合の模式図である。クラウドサーバが地理的位置座標データベース中の地理的位置座標Ａ（説明の便宜のため、以下単に「座標Ａ」という）に、座標Ａを中心点とする１００メートル範囲内の１０個のインタラクティブテキストａ１〜ａ１０を生成して、この１０個のインタラクティブテキストと対応する座標Ａとで第１の関連を確立しながら、この１０個のインタラクティブテキストにおける各々と、座標Ａを中心点とする１００メートル範囲内のすべての座標（すなわち、座標Ａ、Ａ１、Ａ２、Ａ３、Ａ４）とで第２の関連を確立するが、各々のインタラクティブテキストが、座標Ａを中心点とする１００メートル範囲内で唯一性を有するとは、各々のインタラクティブテキスト（例えば、ａ１〜ａ１０のうちいずれか１個）が、この範囲内のすべての座標（すなわち、座標Ａ、Ａ１、Ａ２、Ａ３、Ａ４）と既に第２の関連を確立している他のインタラクティブテキストと同一でないことをいう。また、唯一性は、さらに、インタラクティブテキストａ１〜ａ１０と第２の関連を確立する座標Ａ４が、座標Ａを中心点とする円内にあって、地理的位置座標Ｂを中心点とする円内にもあれば、インタラクティブテキストａ１〜ａ１０が座標Ａ４と既に第２の関連を確立していることから、地理的位置座標Ｂの、第１の関連を確立するためのインタラクティブテキストを生成する際に、インタラクティブテキストａ１〜ａ１０は排除される必要があることにも表れる。
【手続補正４】
【補正対象書類名】明細書
【補正対象項目名】００９７
【補正方法】変更
【補正の内容】
【００９７】
一実施例において、動画放映手段２５には、その時点のスクリーン中に表示されているインタラクティブテキストの有効なインタラクティブ地理的領域をこのインタラクティブテキストのスクリーン中の表示位置の近傍に表示するための表示サブモジュール２５１が含まれる。
【手続補正５】
【補正対象書類名】明細書
【補正対象項目名】００９９
【補正方法】変更
【補正の内容】
【００９９】
一実施例において、図５に示すように、動画放映手段２５には、さらに、第１のコマンド受信モジュール２５２と、第２のコマンド受信モジュール２５３とが含まれる。
【手続補正６】
【補正対象書類名】明細書
【補正対象項目名】０１００
【補正方法】変更
【補正の内容】
【０１００】
第１のコマンド受信モジュール２５２は、クラウドサーバから送信して来た関連保持コマンドと第１のインタラクティブテキスト更新情報とを受信して、第１のインタラクティブテキスト更新情報とその時点で放映されている動画データ中のインタラクティブコンテンツとで関連を確立してスクリーンに表示し、上記関連保持コマンドに基づいて、上記インタラクティブコンテンツと１つ前のインタラクティブコンテンツとで確立されている関連を保持して、１つ前のインタラクティブコンテンツをスクリーン中で表示することを取り止めるためのもので、ただし、上記第１のインタラクティブテキスト更新情報は、前記放映装置ＩＤと第３の関連を確立するインタラクティブテキストであって、このインタラクティブテキストは、クラウドサーバが、この放映装置のその時点の地理的位置座標に基づいて、地理的位置座標データベース１１内とその時点の地理的位置座標とで第１の関連を確立している複数のインタラクティブテキストから選び出すものである。
【手続補正７】
【補正対象書類名】明細書
【補正対象項目名】０１０１
【補正方法】変更
【補正の内容】
【０１０１】
第２のコマンド受信モジュール２５３は、テキスト交換コマンドと第２のインタラクティブテキスト更新情報とを受信し、上記テキスト交換コマンドに基づいて、第２のインタラクティブテキスト更新情報をもって、インタラクティブテキストメモリ２２に記憶されているインタラクティブテキストに代えるためのもので、ただし、第２のインタラクティブテキスト更新情報は、当該放映装置のＩＤと第３の関連を確立するインタラクティブテキストであって、このインタラクティブテキストは、クラウドサーバが、この放映装置のその時点の地理的位置座標に基づいて、地理的位置座標データベース１１内とその時点の地理的位置座標とで第１の関連を確立している複数のインタラクティブテキストから選び出すものである。
【手続補正８】
【補正対象書類名】図面
【補正対象項目名】図３
【補正方法】変更
【補正の内容】
【図３】
2018516517.tif 000010
【手続補正９】
【補正対象書類名】図面
【補正対象項目名】図４
【補正方法】変更
【補正の内容】
【図４】
2018516517.tif 000011
【手続補正１０】
【補正対象書類名】図面
【補正対象項目名】図５
【補正方法】変更
【補正の内容】
【図５】
2018516517.tif 000012
【国際調査報告】
2018516517.tif 000013
2018516517.tif 000014
2018516517.tif 000015
2018516517.tif 000016
2018516517.tif 000017